(57)【要約】      （修正有）【課題】おいしい水を温水・冷水でいつでも、料金を気にせず気軽に利用することができるウォーターサーバーを提供する。【解決手段】水道水の注入口を有する水容器２と、該水容器２の底壁１３ａを貫通して設けられた浄水カートリッジ３と、水容器２の下に設置され、浄水カートリッジ３を通過した浄化水を貯留する浄化水貯留容器４と、該浄化水貯留容器４から供給される浄化水を温める温水タンク５と、浄化水貯留容器４から供給される浄化水を冷却する冷却水タンクととを備えるウォーターサーバー。さらに、加湿器３０とを備え、この加湿器３０に浄化水貯留容器４から浄化水を供給するための水路３１が設けられているウォーターサーバー１Ａ。【選択図】図２
0003170887.tif 000002
【実用新案登録請求の範囲】
【請求項１】
水道水の注入口を有する水容器と、
前記水容器の底壁を貫通して設けられた浄水カートリッジと、
前記水容器の下に設置され、前記浄水カートリッジを通過した浄化水を貯留する浄化水貯留容器と、
前記浄化水貯留容器から供給される浄化水を温める浄化水加熱装置と、
前記浄化水貯留容器から供給される浄化水を冷却する浄化水冷却装置と、
を備える、ウォーターサーバー。
【請求項２】
請求項１に記載のウォーターサーバーにおいて、
前記浄水カートリッジは、その通水路上に多層からなる浄化エレメントを収容しており、この浄化エレメントの各層は、少なくとも銀コーティング活性炭素層、水素発生剤層、ブラックシリカボール層、アルカリ付与セラミックボール層およびフィルタ層で構成されている、ウォーターサーバー。
【請求項３】
請求項１又は２に記載のウォーターサーバーにおいて、
さらに加湿器を備え、この加湿器に前記浄化水貯留容器から浄化水を供給するための水路が設けられた、ウォーターサーバー。
【考案の詳細な説明】
【技術分野】
【０００１】
本考案は、ウォーターサーバーに関する。
【背景技術】
【０００２】
近年、ミネラル水等が詰められたボトルを交換するだけで、おいしい水を温水・冷水でいつでも利用できるウォーターサーバーがオフィス、家庭等で急速に普及している。この種のウォーターサーバーに関する技術は、特許文献１などに開示されている。
【０００３】
また、水道水中に含まれる塩素等を除去するために、活性炭等の濾過材を使用した浄水器はウォーターサーバーより早くから家庭等で普及している。
【先行技術文献】
【特許文献】
【０００４】
【特許文献１】実用新案登録第３１４６１８２号公報
【考案の概要】
【考案が解決しようとする課題】
【０００５】
ところで、従来のウォーターサーバーでは、ミネラル水等が詰められたボトルの利用数量に応じて請求料金が決まることから、おいしい水であっても料金を気にせずに気軽に利用することができないという点で問題があった。
【０００６】
一方、浄水器にて水道水を浄化した水であれば料金を気にせずに気軽に利用できるものの、浄化した水を温水・冷水でいつでも利用できるというウォーターサーバーのような利便性は得られない。
【０００７】
本考案はこのような実情に鑑みてなされたものであり、おいしい水を温水・冷水でいつでも、料金を気にせず気軽に利用することができるウォーターサーバーを提供することを目的とする。
【課題を解決するための手段】
【０００８】
上記目的を達成するために、本考案のウォーターサーバーは、水道水の注入口を有する水容器と、前記水容器の底壁を貫通して設けられた浄水カートリッジと、前記水容器の下に設置され、前記浄水カートリッジを通過した浄化水を貯留する浄化水貯留容器と、前記浄化水貯留容器から供給される浄化水を温める浄化水加熱装置と、前記浄化水貯留容器から供給される浄化水を冷却する浄化水冷却装置と、を備えている。
【０００９】
前記浄水カートリッジは、その通水路上に多層からなる浄化エレメントを収容しており、この浄化エレメントの各層は、少なくとも銀コーティング活性炭素層、水素発生剤層、ブラックシリカボール層、アルカリ付与セラミックボール層およびフィルタ層で構成されている。
【００１０】
上記ウォーターサーバーによれば、水道水から浄水カートリッジを通じて生成された飲料水を提供するので、蛇口を開くだけでおいしい水を温水又は冷水としていつでも利用でき、しかも、料金を気にせずに利用することができる。
【００１１】
既述のウォーターサーバーにおいて、さらに加湿器を備え、この加湿器に前記浄化水貯留容器から浄化水を供給するための水路が設けられたものとしてもよい。
【００１２】
このように加湿器を備えるウォーターサーバーによれば、浄化水が加湿に使用されるため、室内空気の衛生状態が向上する。
【考案の効果】
【００１３】
本考案のウォーターサーバーによれば、おいしい水を温水又は冷水としていつでも利用でき、しかも、料金を気にせずに利用することができる。
【図面の簡単な説明】
【００１４】
【図１】本考案の実施の形態に係るウォーターサーバー等を示す正面図であって、一部を断面化したものである。
【図２】本考案の実施の形態に係る、加湿器を備えたウォーターサーバー等を示す正面図であって、一部を断面化したものである。
【考案を実施するための形態】
【００１５】
以下、本考案の実施の形態について図面を参照しながら説明する。図１は、本考案の実施の形態に係るウォーターサーバー１を示す図である。２は水容器、３は浄水カートリッジ、４は浄化水貯留容器、５は温水タンク、７は冷水タンク、８は温水用蛇口、９は常温水用蛇口、１０は冷水用蛇口である。
【００１６】
水容器２は、上方に開口した開口部（水道水の注入口）１１を有する水容器本体１３と、開口部１１を開閉可能な蓋１２とを有する。水容器本体１３の底壁１３ａには浄水カートリッジ３が貫通して設けられている。
【００１７】
浄水カートリッジ３は、上端に水道水導入口１５ａ、下端に浄化水排出口１５ｂを有する浄化エレメントケース１５と、この浄化エレメントケース１５内の水道水導入口１５ａと浄化水排出口１５ｂとを結ぶ通水路上に配設された多層からなる浄化エレメント１６〜１９およびフィルタ２０と、を備えている。各浄化エレメント１６〜１９は、上層から下層に向かって順に、銀コーティング活性炭層１６、水素発生剤層１７、ブラックシリカボール層１８、アルカリ付与セラミックボール層１９となっており、アルカリ付与セラミックボール層１９の下にフィルタ層２０が配設されている。
【００１８】
銀コーティング活性炭層１６は、銀コーティング活性炭を有し、水道水に含まれる塩素、トリハロメタンなどの不純物や有機物を吸着除去する層である。また、活性炭にコーティングされた銀が銀イオンを溶出し、その銀イオンが殺菌力を発揮して、塩素が除去された水に雑菌が増殖するのを抑制する。
【００１９】
水素発生剤層１７は、水素水発生剤を有する。例えばこの水素水発生剤としてマグネシウム粒などの還元力を持つ粒子が採用される。水素水を飲むと、健康に害をもたらす活性酸素を還元して人体から消滅させるといわれている。
【００２０】
ブラックシリカボール層１８は、粒状のブラックシリカを有する。ブラックシリカは、各種のミネラルを含み、このブラックシリカボール層１８を通過する水にミネラル成分を付与する。また、ブラックシリカは、悪臭を除去し、有害物質を吸着する作用も有する。
【００２１】
アルカリ付与セラミックボール層１９は、アルカリ成分を含侵した粒状のセラミックを有し、このアルカリ付与セラミックボール層１９を通過する水をアルカリ水に変える。アルカリ水のＰｈは好ましくは７．８程度とする。
【００２２】
フィルタ層２０は、このフィルタ層２０を通過する水に含まれる異物をろ過除去する。
【００２３】
浄化水貯留容器４は、ウォーターサーバー本体６上の水容器２の真下に設置されており、浄水カートリッジ３内の通水路を流下して浄化された浄化水を一時的に貯留する。この浄化水貯留容器４には、内部の水量を確認できるように、透明材料が使用されていることが望ましい。
【００２４】
温水タンク５は、浄化水貯留容器４と配管２２を介して接続されており、浄化水貯留容器からこの温水タンク５に浄化水が供給されるようになっている。温水タンク５は、内部に貯留した浄化水を所定温度に加熱する浄化水加熱装置として機能する。また、温水タンク５は、図示しない配管を介して温水用蛇口８に接続されており、この温水用蛇口８を開栓することで、温水タンク５内の温水がこの蛇口８を通ってユーザに供給される。
【００２５】
冷水タンク７は、浄化水貯留容器４と配管２３を介して接続されており、浄化水貯留容器からこの冷水タンク７に浄化水が供給されるようになっている。冷水タンク７は、内部の浄化水を冷却する浄化水冷却装置として機能する。また、冷水タンク７は、図示しない配管を介して冷水用蛇口１０に接続されており、この冷水用蛇口１０を開栓することで、冷水タンク７内の冷水がこの蛇口１０を通ってユーザに供給される。
【００２６】
上記蛇口８，１０のほか、このウォーターサーバー１には、常温水用蛇口９が備わっている。この常温水用蛇口９は、配管２４を介して浄化水貯留容器４に接続されており、この常温水用蛇口９を開栓することで、浄化水貯留容器４内の常温水がこの蛇口９を通ってユーザに供給される。
【００２７】
なお、上記蛇口８〜１０の下には、これらの蛇口８〜１０からこぼれ落ちた水を受ける水受皿２５が設置されている。
【００２８】
以上の構成を備えるウォーターサーバー１において、図１に示すように、ピッチャー２７などを使って水道水２８が水容器２の開口部１１から注ぎ入れられると、水道水２８は、水容器２の底に配置されている浄水カートリッジ３の水道水導入口１５ａから浄水カートリッジ３内に導入される。
【００２９】
浄水カートリッジ３内に導入された水道水は、まず、最上層の銀コーティング活性炭層１６を通過する際に、その中に含まれる塩素、トリハロメタンなどの不純物や有機物が吸着除去される。次に、水素発生剤層１７を通過する際に、水素水に変化し、ブラックシリカボール層１８を通過する際に、各種のミネラル成分が付与される。次に、アルカリ付与セラミックボール層１９を通過する際に、アルカリ化され、フィルタ層２０において異物が除去された後、浄化水排出口１５ｂより浄化水貯留容器４内に浄化水として排出される。冷水用蛇口８又は温水用蛇口１０が開栓され、温水タンク５又は冷却水タンク７内の水が排出されると、タンク５，７内の水量が減少するが、このタンク５、７内の水量低下に伴って浄化水貯留容器４内の浄化水が各タンク５，７内に供給されるようになっている。
【００３０】
以上に説明した本考案の実施形態に係るウォーターサーバー１によれば、蛇口８，９，１０を開くだけで浄化されたおいしい水を温水、冷水又は常温水としていつでも利用でき、しかも、水道水からおいしい水が生成されるので、料金を気にせずに利用することができる。また、浄水カートリッジ内の浄化エレメントが多層からなり、各種の処理（浄化、ミネラル成分の付与、アルカリ化等の処理）が施されるので、より一層おいしい水が提供される。
【００３１】
次いで、図２に基づき、加湿器３０を搭載したウォーターサーバー１Ａについて説明する。なお、図１に基づき説明したウォーターサーバー１と同様の構成については、図２において同符号を付してその説明を省略する。
【００３２】
このウォーターサーバー１Ａに搭載された加湿器３０は、配管（水路）３１を介して浄化水貯留容器４に接続されている。したがって、加湿器３０は浄化水貯留容器４から配管３１を介して供給される浄化水を使用してこのウォーターサーバー１Ａが設置された室内を加湿する。加湿器３０としては、種々の加湿方式のものがあるが、加湿方式はスチーム式、超音波式、気化式等の何れでもよく、また、これらの方式以外であってもよい。
【００３３】
このような加湿器３０を備えるウォーターサーバー１Ａによれば、浄水カートリッジ３により浄化した水が加湿器３０用の水として使用されるので、室内空気の衛生状態が向上するとともに、浄水カートリッジ３の有効利用が図られる。
【産業上の利用可能性】
【００３４】
本考案は、おいしい水を温水・冷水でいつでも利用できるウォーターサーバーに適用することが可能である。
【符号の説明】
【００３５】
１  ウォーターサーバー
２  水容器
３  浄水カートリッジ
４  浄化水貯留容器
５  温水タンク（浄化水加熱装置）
７  冷却水タンク（浄化水冷却装置）
１１  開口部（注入口）
１３ａ  底壁
１６  銀コーティング活性炭層
１７  水素発生剤層
１８  ブラックシリカボール層
１９  アルカリ付与セラミックボール層
２０  フィルタ層
３０  加湿器
３１  配管（水路）
【図１】
0003170887.tif 000003
【図２】
0003170887.tif 000004